(57)【特許請求の範囲】
【請求項１】
第一の記録媒体に記録されたコンテンツを第二の記録媒体にダビング可能なダビング装置において、
上記第一の記録媒体に記録されたコンテンツを再生する再生手段と、
上記コンテンツの再生中に、少なくとも通常再生の指示と、通常再生よりも再生速度が速くかつ音声を伴う話速変換再生の指示と、話速変換再生よりも再生速度が速くかつ音声を伴わない早送り再生の指示と、巻き戻しの指示と、シーンスキップの指示とを外部から受け可能な指示受付手段と、
上記コンテンツ内の各区間に対して、再生態様としての通常再生と話速変換再生と早送り再生との違いに応じた評価点を付与し、かつ、巻き戻しとシーンスキップには評価点を与えない場合に、一度のみ再生の対象となった区間については、通常再生した区間には話速変換再生した区間および早送り再生した区間よりも高い評価点を付与し、話速変換再生した区間には早送り再生した区間よりも高い評価点を付与し、複数回再生の対象となった区間については、複数回の再生時毎の再生態様に応じた各評価点に基づいて決定した評価点を付与する評価手段と、
上記コンテンツのダビング指示を受付けた場合に、上記コンテンツにおける上記一度のみ再生の対象となった区間および上記複数回再生の対象となった区間のうち、所定のしきい値以上の評価点が付与されている区間を抽出し、当該抽出した区間を上記第二の記録媒体にダビングするダビング手段と、
を備えることを特徴とするダビング装置。
【請求項２】
第一の記録媒体に記録されたコンテンツを第二の記録媒体にダビング可能なダビング装置において、
上記第一の記録媒体に記録されたコンテンツを再生する再生手段と、
上記コンテンツの再生中に、少なくとも通常再生の指示と、通常再生よりも再生速度が速くかつ音声を伴う話速変換再生の指示と、話速変換再生よりも再生速度が速くかつ音声を伴わない早送り再生の指示と、巻き戻しの指示と、シーンスキップの指示とを外部から受け可能な指示受付手段と、
上記コンテンツ内の各区間に対して、再生態様としての通常再生と話速変換再生と早送り再生との違いに応じた評価点を付与し、かつ、巻き戻しとシーンスキップには評価点を与えない場合に、一度のみ再生の対象となった区間については、通常再生した区間には話速変換再生した区間および早送り再生した区間よりも高い評価点を付与し、話速変換再生した区間には早送り再生した区間よりも高い評価点を付与し、複数回再生の対象となった区間については、複数回の再生時毎の再生態様に応じた各評価点に基づいて決定した評価点を付与する評価手段と、
上記コンテンツのダビング指示を受付けて、上記コンテンツを上記第二の記録媒体にダビングする際に、上記コンテンツにおける上記一度のみ再生の対象となった区間および上記複数回再生の対象となった区間のうち、所定のしきい値以上の評価点が付与されている区間について、当該しきい値より低い評価点が付与されている区間よりも優れた画質及び又は音質でダビングするダビング手段と、
を備えることを特徴とするダビング装置。
【請求項３】
第一の記録媒体に記録されたコンテンツを第二の記録媒体にダビング可能なダビング装置において、
上記第一の記録媒体に記録されたコンテンツを再生する再生手段と、
上記コンテンツの再生中に、少なくとも通常再生の指示と、通常再生よりも再生速度が速くかつ音声を伴う話速変換再生の指示と、話速変換再生よりも再生速度が速くかつ音声を伴わない早送り再生の指示と、巻き戻しの指示と、シーンスキップの指示とを外部から受け可能な指示受付手段と、
上記コンテンツ内の各区間に対して、再生態様としての通常再生と話速変換再生と早送り再生との違いに応じた評価点を付与し、かつ、巻き戻しとシーンスキップには評価点を与えない場合に、一度のみ再生の対象となった区間については、通常再生した区間には話速変換再生した区間および早送り再生した区間よりも高い評価点を付与し、話速変換再生した区間に対しては早送り再生した区間よりも高い評価点を付与し、複数回再生の対象となった区間については、最新の再生時の再生態様に応じた評価点と前回の再生態様に応じた評価点との平均を評価点として付与する評価手段と、
上記コンテンツのダビング指示を受付けた場合に、上記コンテンツにおける上記一度のみ再生の対象となった区間および上記複数回再生の対象となった区間のうち、所定のしきい値以上の評価点が付与されている区間を抽出し、当該抽出した区間を上記第二の記録媒体にダビングするダビング手段と、
を備えることを特徴とするダビング装置。
【発明の詳細な説明】
【技術分野】
【０００１】
本発明は、ダビング装置に関する。
【背景技術】
【０００２】
コンテンツを分割した各部分を示す情報に関連付けて評価情報を記録し、また、当該コンテンツデータを光ディスクにダビングする際に、コンテンツデータに関連付けられている評価情報をも光ディスクに記録させることにより、ダビング後でも評価情報の参照を可能とした再生装置が知られている（特許文献１参照。）。
ハードディスクに記録された動画をＤＶＤへダビングする際に、ハイライトダビング指示をユーザから受付けると、動画の音声レベルが基準音声レベル以上になるレベル超過場面から、連続して基準音声レベル以上になる範囲の終点場面までをダビングするダビング装置が知られている（特許文献２参照。）。
【先行技術文献】
【特許文献】
【０００３】
【特許文献１】特開２００７‐３２３７７９号公報
【特許文献２】特開２００７‐１７４１８５号公報
【発明の概要】
【発明が解決しようとする課題】
【０００４】
テレビジョンや光ディスク再生記録装置に内臓されたハードディスク（ＨＤ）に記録したコンテンツ（テレビ番組等）を、ＤＶＤやブルーレイディスク（ＢＤ）等の光ディスクにダビングする場合に、コンテンツ内における視聴者の興味の高い場面（区間）だけをダビングすることにより、当該ディスクの容量の消費を節約したいという要望が存在する。
しかし、上記文献１のように、コンテンツをダビングする際にコンテンツに関連付けられている評価情報も記録する構成では、光ディスクの容量の節約にはならなかった。また上記文献２のように、各シーンの音声レベルでハイライトシーンとそうでなはないシーンとを分ける手法では、本当に視聴者が興味を持ったシーンがダビングされるとは限らず、結局、視聴者の興味の低いシーンもダビングされて光ディスクの容量を無駄に消費してしまうことがあった。
【０００５】
本発明は上記課題に鑑みてなされたもので、真に視聴者の興味の高い区間のダビングと、ダビング先の記録媒体の容量消費の節約との両立を実現することが可能なダビング装置を提供する。
【課題を解決するための手段】
【０００６】
上記目的を達成するため、本発明の一つの態様は、  第一の記録媒体に記録されたコンテンツを第二の記録媒体にダビング可能なダビング装置において、上記第一の記録媒体に記録されたコンテンツを再生する再生手段と、上記コンテンツの再生中に、再生態様の変更指示を外部から受け可能な指示受付手段と、上記コンテンツ内の各区間に対して、上記変更指示に基づいた再生態様の違いに応じた評価点を付与する評価手段と、上記コンテンツのダビング指示を受付けた場合に、上記コンテンツにおける所定のしきい値以上の評価点が付与されている区間を抽出し、当該抽出した区間を上記第二の記録媒体にダビングするダビング手段と、を備える構成としてある。
【０００７】
本発明によれば、コンテンツ再生中の視聴者による上記変更指示に基づいた再生態様の違いに応じた評価点が、しきい値以上の区間のみが、第二の記録媒体にダビングされる。そのため、視聴者の興味の高い区間のダビングと、第二の記録媒体の容量消費の節約とを、両立することができる。また本発明によれば、コンテンツ再生中に視聴者が自己の欲求に従って上記変更指示を行うだけで、その後コンテンツの各区間に自動的に評価点が付される。つまり、視聴者がコンテンツの各区間に対して意識的に評価を行う訳ではないため、ダビング装置がコンテンツ内でダビング対象とする区間を抽出するために、視聴者に作業負担を強いることが無い。なおダビング手段は、上記コンテンツのダビング指示を受付けて、上記コンテンツを上記第二の記録媒体にダビングする際に、上記コンテンツにおける所定のしきい値以上の評価点が付与されている区間について、当該しきい値より低い評価点が付与されている区間よりも優れた画質及び又は音質でダビングするとしてもよい。本発明は、ダビング装置という物の発明としてだけでなく、ダビング装置が実行する処理工程を備えた方法の発明や、ダビング装置が実行する処理をハードウェア資源（ダビング装置が内臓するコンピュータ等）に実行させるプログラムの発明としても実現することができる。
【図面の簡単な説明】
【０００８】
【図１】再生記録装置などの概略を示すブロック図である。
【図２】コンテンツ再生処理および評価処理を示すフローチャートである。
【図３】コンテンツ内の区間に対し評価点を付与する処理の説明図である。
【図４】ダビング処理を示すフローチャートである。
【発明を実施するための形態】
【０００９】
以下、図面を参照しながら本発明の実施形態を説明する。
図１は、本実施形態にかかる再生記録装置１０などの概略をブロック図により示している。再生記録装置１０は、概略、チューナ部１８、ディスクドライブ１１、ハードディスク（ＨＤ）１２、信号再生記録処理部１３、制御部１４、外部接続インターフェイス（Ｉ／Ｆ）１５、操作受付部１６、リモートコントロールＩ／Ｆ１７等を備える。チューナ部１８は、図示しないアンテナを介して、テレビ番組としてのコンテンツが重畳されたテレビジョン放送信号を受信して、コンテンツデータ（テレビ番組としての動画や音声がエンコードされているデータ）を抽出し、抽出したコンテンツデータを信号再生記録処理部１３に出力する。信号再生記録処理部１３は、制御部１４に制御されることにより、チューナ部１８から送られてきた上記コンテンツデータを適宜デコード等して映像信号や音声信号を生成する。信号再生記録処理部１３は、映像信号や音声信号を、外部接続Ｉ／Ｆ１５を介して外部の出力装置（例えば、テレビジョン３０）へ送信し、テレビジョン３０に映像信号、音声信号の出力をさせる。
【００１０】
ディスクドライブ１１には、ＤＶＤやブルーレイディスク（ＢＤ）等の記録媒体Ｍが挿入される。ディスクドライブ１１は、記録媒体Ｍからの信号の読み込みや、記録媒体Ｍに対する信号の書き込みを実行可能である。信号再生記録処理部１３は、制御部１４に制御されることにより、チューナ部１８から送られてきた上記コンテンツデータを、記録用の所定のフォーマットに変換してＨＤ１２に記録することができる。また、信号再生記録処理部１３は、制御部１４に制御されることにより、チューナ部１８から送られてきた上記コンテンツデータを、記録用の所定のフォーマットに変換してディスクドライブ１１に送り、ディスクドライブ１１に、当該変換後のコンテンツデータを記録媒体Ｍに記録させることができる。
【００１１】
また、信号再生記録処理部１３は、制御部１４に制御されることにより、ＨＤ１２から取得したコンテンツデータ、またはディスクドライブ１１に記録媒体Ｍの読み込みをさせることによりディスクドライブ１１から取得したコンテンツデータをデコード等することにより、記録媒体ＭやＨＤ１２に記録されているコンテンツの再生処理（および映像信号や音声信号の、外部接続Ｉ／Ｆ１５を介した外部への出力）を行なうことができる。さらに、信号再生記録処理部１３は、制御部１４に制御されることにより、例えば、第一の記録媒体（ＨＤ１２）に記録されたコンテンツデータの再生処理ならびに当該コンテンツデータの第二の記録媒体（記録媒体Ｍ）への記録処理（ダビング）を行うことができる。
【００１２】
操作受付部１６は、ユーザ（視聴者）からの各種指示を受付けるためのユーザＩ／Ｆであり、所定のボタンやスイッチ類からなる。リモートコントロールＩ／Ｆ１７は、外部のリモートコントロール装置２０から送信される赤外線信号（リモートコントロール信号）を受光し、受光した信号を制御部１４に送信する。リモートコントロール装置２０には、操作受付部１６が備えるボタン等に相当する、各種ボタン２１などが配設されている。
制御部１４はＣＰＵ、ＲＯＭ、ＲＡＭ等を備え、再生記録装置１０の各部と接続し、予め保持した所定のプログラムに従って再生記録装置１０全体を制御する。
以下では、再生記録装置１０を本発明のダビング装置の一例として説明を行うが、本発明のダビング装置は、例えば、再生記録装置１０と同じ構成を内臓したテレビジョンや、再生記録装置１０と同じ構成を内臓したＰＣ（パーソナルコンピュータ）などであってもよく、かかるテレビジョンやＰＣ等によって後述の処理が実行されるとしてもよい。
【００１３】
このような構成において、再生記録装置１０は、上記第一の記録媒体に記録されたコンテンツを再生する再生手段と、コンテンツ再生中に、再生態様の変更指示を外部から受け可能な指示受付手段と、コンテンツ内の各区間に対して、上記変更指示に基づいた再生態様の違いに応じた評価点を付与する評価手段と、コンテンツのダビング指示を受付けた場合に、コンテンツにおける所定のしきい値以上の評価点が付与されている区間を抽出し、抽出した区間を上記第二の記録媒体にダビングするダビング手段と、を提供する。
また、上記評価手段は、少なくとも再生態様としての通常再生と話速変換再生と早送り再生との違いに応じて、異なる評価点を付与する。
また、上記評価手段は、上記コンテンツ内の各区間のうち、一度のみ再生の対象となった区間については、当該一度のみの再生時の再生態様に応じた評価点を付与し、複数回再生の対象となった区間については、複数回の再生時毎の再生態様に応じた各評価点に基づいて決定した評価点を付与する。
【００１４】
より具体的な構成として、再生記録装置１０は、上記第一の記録媒体に記録されたコンテンツを再生する再生手段と、コンテンツの再生中に、少なくとも通常再生の指示と、話速変換再生の指示と、早送り再生の指示と、巻き戻しの指示と、シーンスキップの指示とを外部から受け可能な指示受付手段と、コンテンツ内の各区間に対して、再生態様としての通常再生と話速変換再生と早送り再生との違いに応じた評価点を付与する際に、一度のみ再生の対象となった区間については、通常再生した区間に対して最高点を付与し、話速変換再生した区間に対して２番目に高い点を付与し、早送り再生した区間に対しては３番目に高い点を付与し、複数回再生の対象となった区間については、最新の再生時の再生態様に応じた評価点と前回の再生態様に応じた評価点との平均を評価点として付与する評価手段と、コンテンツのダビング指示を受付けた場合に、コンテンツにおける所定のしきい値以上の評価点が付与されている区間を抽出し、当該抽出した区間を上記第二の記録媒体にダビングするダビング手段と、を提供する。
【００１５】
図２は、再生記録装置１０が実行するコンテンツの再生処理およびコンテンツ内の各区間（映像区間）に対する評価処理について、フローチャートにより示している。当該処理は、ユーザが、操作受付部１６やリモートコントロール装置２０を操作することにより、ＨＤ１２に記録されているコンテンツを選択し、当該選択したコンテンツの再生指示を行った場合に開始される。制御部１４は、操作受付部１６又はリモートコントロールＩ／Ｆ１７を介して、当該再生指示を受付け（ステップＳ１００）、これを契機として、ＨＤ１２と信号再生記録処理部１３との駆動を制御することにより、当該再生指示で選択されているＨＤ１２に記録されたコンテンツデータの再生処理（通常再生）を開始させ、外部接続Ｉ／Ｆ１５を制御することにより、この再生されたコンテンツにかかる映像信号や音声信号をテレビジョン３０に出力させる（ステップＳ１１０）。
【００１６】
ユーザは、上記ステップＳ１１０で再生開始されたコンテンツをテレビジョン３０で視聴している間、操作受付部１６やリモートコントロール装置２０の各種ボタン等を操作することにより、任意に制御部１４に対して再生態様の変更指示を行うことができる。再生態様とは、例えば、上記通常再生（コンテンツの本来の再生速度による再生）や、話速変換再生（１．３倍速など、音程を保ったまま再生速度を変更した再生［音声あり］）や、早送り再生（２倍速、４倍速など、通常再生よりも再生速度が速い再生［音声なし］）等であり、これら再生態様をユーザは自由に切換えることができる。むろん、ユーザは、操作受付部１６やリモートコントロール装置２０の各種ボタン等を操作することにより、任意に、コンテンツの巻き戻しの指示や、シーンをスキップさせるシーンスキップの指示や、一時停止の指示などを行うことができる。
【００１７】
制御部１４は、これら受付けた各種指示に応じて、コンテンツの再生態様を切換えたり、コンテンツの一部区間を巻き戻したり、再生を一時停止したり、コンテンツの一部区間をスキップしたりする（ステップＳ１２０）。制御部１４は、操作受付部１６やリモートコントロール装置２０が操作されることにより上記各種指示を受付けるたびに、受付けた指示内容（通常再生指示、話速変換再生指示、早送り再生指示、巻き戻し指示、シーンスキップ指示）を、コンテンツの最初のシーン（コンテンツの一コマ目）を基準とした、そのときのシーンの位置情報に対応付けて、所定のメモリーに記録する（ステップＳ１２０）。シーンの位置情報とは、コンテンツの最初のシーンから通常再生のみを継続してそのシーンに到達するために要する時刻ｔである。
【００１８】
制御部１４は、操作受付部１６又はリモートコントロールＩ／Ｆ１７を介してコンテンツの停止指示を受付けたか、あるいはコンテンツの最終シーンの再生を終えたかを判定（ステップＳ１３０）し、停止指示を受付けたか最終シーンの再生を終えた場合に、ＨＤ１２と信号再生記録処理部１３との駆動を制御することによりコンテンツの再生処理を終了させ（ステップＳ１４０）、ステップＳ１５０に進む。
ステップＳ１５０では、制御部１４は、上記コンテンツの再生中に受付けた上記変更指示に基づいた再生態様の違いに応じた評価点Ｐを、コンテンツ内の各区間に付与する。
【００１９】
図３は、再生したコンテンツ内の区間に対して制御部１４が評価点Ｐを付与する様子を説明するための図である。図３には、ステップＳ１１０〜ステップＳ１４０の間に再生の対象となったコンテンツの長さを長尺の矩形により例示している。ここで言うコンテンツの長さとは、ステップＳ１１０で再生を開始したときの開始シーンからステップＳ１４０で再生を終了させたときの終了シーンまで通常再生のみを継続したときに要する時間である。開始シーンは、基本的には上記最初のシーンであり、終了シーンは、上記最終シーンまたは最終シーンよりも手前のシーンである。ここでは開始シーン＝最初のシーンとしている。また、コンテンツの長さが、開始シーンから終了シーンまで３０分である場合を例示している。実際にはユーザにより早送り再生や、話速変換再生や、巻き戻しや、シーンスキップや、一時停止等が指示され得るため、ステップＳ１１０からステップＳ１４０までに要した時間と、上記コンテンツの長さとが等しいとは限らない。
【００２０】
また図３では、ユーザによる指示内容とそのときのシーンの位置情報（時刻ｔ）との関係を示している。ここでは、時刻ｔ＝０から時刻＝ｔ１までの区間は通常再生（Ｐｌａｙ）のままであり、時刻ｔ＝ｔ１の位置で早送り再生指示（ＦＦ）がされて時刻ｔ＝ｔ３の位置までコンテンツが早送りされ、時刻ｔ＝ｔ３の位置で巻き戻し指示（ＦＢ）がされて時刻ｔ＝ｔ２の位置までコンテンツが巻き戻しされ、時刻ｔ＝ｔ２の位置で通常再生指示（Ｐｌａｙ）がされ、時刻ｔ＝ｔ４の位置でシーンスキップ指示（Ｓｋｉｐ）がされて時刻ｔ＝ｔ６の位置までコンテンツがスキップされ、時刻ｔ＝ｔ６の位置で巻き戻し指示（ＦＢ）がされて時刻ｔ＝ｔ５の位置までコンテンツが巻き戻され、時刻ｔ＝ｔ５の位置で通常再生指示（Ｐｌａｙ）がされ、時刻ｔ＝ｔ７の位置で話速変換再生指示（ＨＳ）がされ、時刻ｔ＝３０分の位置で停止指示がされてコンテンツの再生が停止されている。なお、０＜ｔ１＜ｔ２＜ｔ３＜ｔ４＜ｔ５＜ｔ６＜ｔ７＜３０分である。つまり制御部１４は、このような各種指示の内容と、各種指示が対応する時刻ｔの情報とを、上記コンテンツの再生中に記録し（ステップＳ１２０）、ステップＳ１５０では、この記録結果を参照して、コンテンツ内の各区間に対して評価点Ｐを付与する。
【００２１】
制御部１４は、通常再生した区間に対しては、評価点Ｐとしての最高点（例えば１００点）を付与し、話速変換再生した区間に対して２番目に高い点（例えば５０点）を付与し、早送り再生した区間に対しては３番目に高い点（例えば２５点）を付与する。ただしこれは、一度のみ再生の対象となった区間についての評価方法であり、複数回再生の対象となった区間については、複数回の再生時毎の再生態様に応じた各評価点に基づいて評価点Ｐを決定する。また、巻き戻しおよびシーンスキップに対しては評価をしない。図３の例では、０〜ｔ１の区間は通常再生のみされているため、評価点Ｐは１００点となる。ｔ１〜ｔ２の区間は早送り再生のみされているため、評価点Ｐは２５点となる。ｔ２〜ｔ３の区間は、最新の再生時に通常再生がなされ、前回の再生として早送り再生がされている（ｔ３の位置からｔ２の位置までの巻き戻しは評価対象外）ため、最新の再生態様に応じた評価点（１００点）と、前回の再生態様に応じた評価点（２５点）との平均（６２．５点）を、評価点Ｐとする。
【００２２】
ｔ３〜ｔ４の区間は通常再生のみであるため、評価点Ｐは１００点となる。ｔ４〜ｔ５の区間はスキップのみされているため評価対象外（無得点）である。ｔ５〜ｔ６の区間は、通常再生であるため（ｔ５〜ｔ６のスキップと、ｔ６の位置からｔ５の位置までの巻き戻しは評価対象外）評価点Ｐは１００点となる。ｔ６〜ｔ７の区間も通常再生のみであるため評価点Ｐは１００点である。ｔ７〜３０分の区間は話速変換再生のみであるため、評価点Ｐは５０点となる。なお、３回以上再生の対象となっている区間については、前回の再生態様に応じた評価点自体が、当該前回の再生態様を含む過去の再生時毎の再生態様に応じた各評価点に基づいて決定される。例えば、最新（３回目）の再生態様が通常再生であり、前回（２回目）の再生態様が話速変換再生であり、前々回（１回目）の再生態様が早送り再生である区間については、前回の再生態様に応じて決定される評価点（話速変換再生の５０点と早送り再生の２５点との平均である３７．５点）と、最新の再生態様に応じた評価点（１００点）との平均（６８．７５点）が、評価点Ｐとなる。
【００２３】
また“複数回再生の対象となった区間”は、図３のｔ２〜ｔ３の区間のように、ステップＳ１１０で再生処理が開始されてステップＳ１４０で再生処理が終了するまでの期間内に再生が複数回繰り返された区間だけでなく、ユーザが同じコンテンツについて複数回再生させた場合、つまりステップＳ１１０〜ステップＳ１４０を複数回繰り返したコンテンツにおける繰り返し再生された区間も含む意味である。従って制御部１４は、図３に例示したコンテンツの０〜ｔ１の区間について、過去にも再生済みである場合には、当該過去に再生したときに当該区間０〜ｔ１に対して付与された評価点と、図３の例で説明した区間０〜ｔ１についての評価点（１００点）とに基づいて、評価点Ｐを決定する。
ステップＳ１６０では、制御部１４は、ステップＳ１５０でコンテンツ内の各区間に付与した評価点Ｐと各区間との対応関係を記述した情報（評価情報）を、上記再生の対象としたコンテンツに関連付けてＨＤ１２に保存する。これにより、コンテンツの再生処理および上記評価処理が終了する。
【００２４】
図４は、再生記録装置１０が実行するコンテンツのダビング処理について、フローチャートにより示している。当該処理は、ユーザが、操作受付部１６やリモートコントロール装置２０を操作することにより、ＨＤ１２に記録されているコンテンツを選択し、当該選択したコンテンツのダビング指示を行った場合に開始される。制御部１４は、操作受付部１６又はリモートコントロールＩ／Ｆ１７を介してダビング指示を受付け（ステップＳ２００）、これを契機として、ＨＤ１２に記録されている当該ダビング指示で選択されているコンテンツ（コンテンツデータ）および、当該コンテンツに関連付けて保存されている評価情報を読み出す（ステップＳ２１０）。
【００２５】
ステップＳ２２０では、制御部１４は、上記読み出した評価情報を参照し、上記読み出したコンテンツ内の全区間のうち、所定のしきい値（例えば５０点）以上の評価点Ｐが付与されている区間を特定し、当該特定した区間のみを、記録媒体Ｍにダビングさせる。つまり制御部１４は、ディスクドライブ１１とＨＤ１２と信号再生記録処理部１３との駆動を制御することにより、上記特定した区間にかかるデータ（映像信号および音声信号）のみを、ＨＤ１２から抽出させ、当該抽出されたデータをディスクドライブ１１に送信させ、ディスクドライブ１１に、当該抽出されたデータを記録媒体Ｍに記録させる。これにより、コンテンツのダビング処理が終了する。なお、上記ダビング指示で選択されているコンテンツに評価情報が関連付けて保存されていない場合には、制御部１４は、ダビング指示で選択されているコンテンツ内の全区間にかかるデータを記録媒体Ｍにダビングする。
【００２６】
上記しきい値としての具体的な点数は、ユーザが操作受付部１６やリモートコントロール装置２０を操作することにより自由に設定可能である。
なお上記ステップＳ２２０では、制御部１４は、上記読み出した評価情報を参照し、上記読み出したコンテンツ内の全区間のうち、所定のしきい値以上の評価点Ｐが付与されている区間を特定し、当該特定した区間については、当該しきい値より低い評価点Ｐが付与されている区間よりも優れた画質及び又は音質でダビングするとしてもよい。つまり制御部１４は、例えば、ディスクドライブ１１とＨＤ１２と信号再生記録処理部１３との駆動を制御することにより、上記特定した区間にかかるデータ（映像信号および音声信号）については記録媒体Ｍにダビングする際にデータ圧縮をさせなかったり圧縮させるにしても所定の低圧縮率とし、一方、上記特定した区間以外の区間にかかるデータについては記録媒体Ｍにダビングする際により高い圧縮率で圧縮させてダビングさせる。
【００２７】
このように本実施形態によれば、ＨＤ１２等の記録媒体に格納されているあるコンテンツを再生したとき、再生中のユーザによる各種再生指示（早送り再生指示、話速変換再生指示、通常再生指示）の違いに応じた評価点Ｐが、コンテンツ内の各区間に自動的に付与される。そして、当該コンテンツのダビング指示がなされた場合には、コンテンツ内の区間のうち、所定のしきい値以上の評価点Ｐが付与されている区間のみが他の記録媒体にダビングされる（或いは、コンテンツ内の区間のうち、所定のしきい値以上の評価点Ｐが付与されている区間については、当該しきい値より低い評価点Ｐが付与されている区間よりも優れた画質及び又は音質でダビングされる）。そのため、コンテンツ内におけるユーザの興味の高い場面の確実なダビングと、データのダビング先となる記録媒体の容量消費の節約とを、両立することができる。
【００２８】
また本実施形態によれば、コンテンツ再生中にユーザが自己の欲求に従って早送り再生指示や、話速変換再生指示や、通常再生指示等を切換えるだけで、コンテンツの各区間に対して自動的に評価点が付されるため、ユーザはコンテンツの再生中、各場面に対して意識的に評価を行う必要がない。つまり、再生記録装置１０がコンテンツ内でダビング対象とする区間を抽出するためにユーザに特別の作業負担を強いることが無く、それでいてユーザにとって重要性が高い場面が効率的に集められたダビング後のコンテンツが得られる。
【符号の説明】
【００２９】
１０…再生記録装置、１１…ディスクドライブ、１２…ＨＤ、１３…信号再生記録処理部、１４…制御部、１５…外部接続Ｉ／Ｆ、１６…操作受付部、１７…リモートコントロールＩ／Ｆ、１８…チューナ部、２０…リモートコントロール装置、２１…ボタン、３０…テレビジョン
【図１】
0005597978.tif 000002
【図２】
0005597978.tif 000003
【図３】
0005597978.tif 000004
【図４】
0005597978.tif 000005